(57)【要約】【課題】位相差検出方式での焦点検出においては、広視野範囲の焦点検出を高精度で行なうことが難しい。【解決手段】メインミラ−（第１の光学素子）１４の上方で配置されたサブミラ−（第２の光学素子）１６は、メインミラ−で反射した光束を撮像光学系の光軸と交差する横方向に反射し、サブミラ−で反射された光束に基づいて焦点検出光学系２６で焦点検出している。焦点検出光学系２６は、撮像光学系の光軸１３と交差する横方向にサブミラ−１６で反射された光束から焦点検出を行なうように、サブミラ−の側方に配置されている。【選択図】図１
2006145909.tif 000002
【特許請求の範囲】
【請求項１】
撮影光学系と撮像部との間に配置されて、撮像光学系からの被写体の光束を上方に反射する第１の光学素子と、
前記第１の光学素子の上方に配置されて、前記第１の光学素子で反射した光束を前記撮像光学系の光軸と交差する横方向に反射する第２の光学素子と、
前記第２の光学素子で反射された光束に基づいて焦点検出を行なう焦点検出光学系と、
を具備する焦点検出装置。
【請求項２】
前記第２の光学素子の反射面は、前記撮像光学系の光軸と平行である請求項１記載の焦点検出装置。
【請求項３】
前記第２の光学素子の反射面は、カメラ本体に対して４５度の角度位置に配置されている請求項１または２記載の焦点検出装置。
【請求項４】
撮影光学系と撮像部との間に配置されて、撮像光学系からの被写体の光束を上方に反射する第１の光学素子と、
前記第１の光学素子の上方で前記撮影光学系の光軸に対して傾けて配置されて、前記第１の光学素子で反射した光束を前記撮像光学系の光軸と交差する横方向に反射する第２の光学素子と、
前記第２の光学素子で反射された光束に基づいて焦点検出を行なう焦点検出光学系と、
を具備する焦点検出装置。
【請求項５】
前記第２の光学素子の反射面は、前記撮像光学系の光軸を傾けた軸と直交する軸に対して４５度よりも小さい角度位置に配置され、反射された光束をカメラの真横方向よりも底面寄りに向けて出射する請求項４記載の焦点検出装置。
【請求項６】
前記第２の光学素子が、前記第１の光学素子で反射した光束を透過する光束と焦点検出光学系への光束とに分割するハ−フミラ−である請求項１乃至５記載の焦点検出装置。
【請求項７】
前記第１の光学素子は跳ね上げ可能とされ、前記第２の光学素子は前記第１の光学素子の跳ね上げ時の障害とならない位置に跳ね上げ可能に構成されている請求項１乃至６記載の焦点検出装置。
【請求項８】
請求項１乃至７記載の焦点検出装置の組み込まれた光学機器。
【発明の詳細な説明】
【技術分野】
【０００１】
本発明は、銀塩カメラ、デジタルカメラ、ビデオカメラなどの光学機器に組み込まれて、撮影光学系からの被写体の光束によって焦点検出を行なう焦点検出装置及び焦点検出装置の組み込まれた光学機器に関するものである。
【背景技術】
【０００２】
銀塩カメラ、デジタルカメラ、ビデオカメラなどの光学機器に組み込まれる焦点検出装置として、位相差検出方式により焦点検出を行なうものが知られている。この位相差検出方式の焦点検出装置では、図６に示すように、撮像光学系１１２からの被写体の光束がメインミラ−１１４で上方に反射されて焦点板１２０に被写体像を形成し、ペンタプリズム１２２での反射を経て被写体像が接眼レンズ１２４に投影される。また、メインミラ−１１４を透過した光束がメインミラ−の背後のサブミラ−１１６で反射されて焦点検出光学系１２６に入射され、サブミラ−の反射光束を焦点検出光学系の２つの光電変換素子からなるセンサ−１２８で検出し、この２つの光電変換素子での光量分布のずれ量を演算して焦点を求めている。なお、メインミラ−１１４は、矩形形状とされ、撮像光学系の光軸１１３に対して交差角４５°で交差するように配置される。
【０００３】
サブミラ−１１６で反射した光束から焦点を検出するこの焦点検出装置では、メインミラ−１１４を透過した光束がサブミラ−１１６での反射光束となるため、撮影範囲中の焦点検出の可能な範囲はサブミラ−の大きさ（面積）によって決定される。そして、サブミラ−１１６を大きくすれば、広範囲での焦点検出が可能となり、たとえば、サブミラ−をメインミラ−１１４とほぼ同一の大きさとしてメインミラ−を透過する光束のすべてをサブミラ−で反射すれば、視野の全範囲における焦点検出が可能となる。
【０００４】
しかし、サブミラ−を大きくして反射する光束が広範囲におよぶと、他部材の干渉が生じて光束がけられるため、焦点検出が困難となる。一方、それを防止しようとすれば、カメラの大型化が避けられず、好ましくない。そのため、サブミラ−の大きさが規制され、焦点検出の範囲も限定される。
【０００５】
通常、サブミラ−１１６はメインミラ−１１４の背後で撮像部１１８の前面に位置し、撮像光学系１１２、メインミラ−、サブミラ−、撮像部は撮像光学系の光軸１１３に沿って配置される。そのため、メインミラ−１１４を透過した光束はサブミラ−１１６で反射されてメインミラ−下部方向に投影され、メインミラ−の干渉を受けやすい。そして、メインミラ−１１４の干渉を避けるために、サブミラ−１１６をメインミラ−から十分離反させる必要があり、サブミラ−を大きくすればするほど、サブミラ−はメインミラ−から離反して配置され、焦点検出装置、ひいては、光学機器が光軸方向で厚くなり、大型化する。
【０００６】
そのため、たとえば、特開平９−１８４９６５号公報では、サブミラ−を楕円形状のミラ−とすることにより、広い範囲の光束を焦点検出光学系に導いて広視野範囲の焦点検出を可能としている。
【０００７】
しかしながら、この構成においても、検出しようとする範囲の大きさに応じてサブミラ−を拡大する必要があり、サブミラ−を大きくすると干渉が生じるため、広視野化には限界がある。
【０００８】
また、特開２０００−３２９９９７号公報では、反射特性と透過特性とを電気的に切り換え可能な光路切換素子がメインミラ−の背後で撮像部の前面に配置され、焦点検出時には光路切換素子を反射する特性に切換えてメインミラ−を透過した光束を光路切換素子で反射し、光路切換素子での反射光束をメインミラ−裏面で反射して焦点検出光学系に導いて焦点検出を行なっている。この構成では、サブミラ−が不要となり、撮像部と平行に配置された光路切換素子は、メインミラ−を透過した視野範囲の光束のすべてを反射するため、視野の全範囲において焦点が検出できる。また、公知の構成では、サブミラ−がメインミラ−と同様に撮像光学系の光軸に対して斜めに配置されるのに対して、光路切換素子は撮像光学系の光軸と直交する位置、つまりは撮像部と平行に配置されるため、光軸方向に必要な長さが減り、光軸方向で光学機器が小型化できる。
【０００９】
しかしながら、この構成では、焦点検出光学系で利用される光束は、メインミラ−の透過、光路切換素子での反射、メインミラ−裏面での再反射を経ているため、光量の低下が避けられない。そして、光量の減少した光束に基づいて焦点検出光学系で焦点検出しているため、高精度での焦点検出が難しい。
【特許文献１】特開平９−１８４９６５号公報
【特許文献２】特開２０００−３２９９９７号公報
【発明の開示】
【発明が解決しようとする課題】
【００１０】
解決しようとする問題点は、位相差検出方式での焦点検出においては、広視野範囲の焦点検出を高精度で行なうことが難しい点にある。
【課題を解決するための手段】
【００１１】
本発明は、第２の光学素子（たとえば、サブミラ−）が第１の光学素子（たとえば、メインミラ−）の上方に配置されて、第１の光学素子で反射した光束を撮像光学系の光軸と交差する横方向に反射することを主要な特徴としている。
【発明の効果】
【００１２】
請求項１記載の焦点検出装置では、撮影光学系と撮像部との間に配置されて、撮像光学系からの被写体の光束を上方に反射する第１の光学素子と、前記第１の光学素子の上方に配置されて、前記第１の光学素子で反射した光束を前記撮像光学系の光軸と交差する横方向に反射する第２の光学素子と、前記第２の光学素子で反射された光束に基づいて焦点検出を行なう焦点検出光学系とを具備して構成されている。この構成では、第２の光学素子が第１の光学素子の上方に配置されて、第１の光学素子で反射した光束を撮像光学系の光軸と交差する横方向に反射するため、視野範囲における第１の光学素子からの十分な範囲の光束が第２の光学素子で反射され、広視野範囲の焦点検出が可能となる。
【００１３】
また、第１の光学素子が撮影光学系の光軸に沿って配置されているのに対して、第２の光学素子では第１の光学素子からの光束を撮像光学系の光軸と交差する横方向に反射されるため、第２の光学素子での反射光束は第１の光学素子の干渉を受け難く、焦点検出装置の設計の自由度が増す。
【００１４】
さらに、第２の光学素子は、第１の光学素子の上方に配置され、第１の光学素子と撮像部との間に位置しないため、第１の光学素子、撮像部が近接して配置でき、撮影光学系の光軸方向で焦点検出装置が小型化できる。
【００１５】
また、焦点検出光学系で利用される光束は、第１、第２の光学素子での反射を経ているにすぎないため、光路切換素子を利用した公知の構成に比較して光量の減少が少なく、焦点検出が高精度で行なえる。
【００１６】
請求項２記載の焦点検出装置では、前記第２の光学素子の反射面は、前記撮像光学系の光軸と平行であるため、反射光は光軸と直交する方向に射出し、カメラの薄型化が実現できる。
【００１７】
請求項３記載の焦点検出装置では、前記第２の光学素子の反射面は、カメラ本体に対して４５°の角度位置に配置されているため、反射された後の光軸もカメラ底面に対して平行となり、カメラ装置内における他の部品要素の配置が容易になる。
【００１８】
請求項４記載の焦点検出装置では、撮影光学系と撮像部との間に配置されて、撮像光学系からの被写体の光束を上方に反射する第１の光学素子と、前記第１の光学素子の上方で前記撮影光学系の光軸に対して傾けて配置されて、前記第１の光学素子で反射した光束を前記撮像光学系の光軸と交差する横方向に反射する第２の光学素子と、前記第２の光学素子で反射された光束に基づいて焦点検出を行なう焦点検出光学系とを具備して構成されている。そして、第２の光学素子が撮影光学系の光軸に対して傾けて配置されている点を除けば、請求項１に記載の本発明と同一の構成であるため、請求項１に記載の本発明と同じ効果が請求項２に記載の本発明においても得られる。
【００１９】
さらに、第２の光学素子が撮影光学系の光軸に対して傾けて配置されているため、第２の光学素子での反射光束は撮影光学系側に反射されて、第１の光学素子から離反され、第１の光学素子との干渉が受け難くなり、焦点検出装置の設計の自由度がさらに増加する。
【００２０】
請求項５記載の焦点検出装置では、前記第２の光学素子の反射面は、前記撮像光学系の光軸を傾けた軸と直交する軸に対して４５度よりも小さい角度位置に配置され、反射された光束をカメラの真横方向よりも底面寄りに向けて出射されるため、カメラ全体の高さを低くすることが可能になる。
【００２１】
請求項６記載の焦点検出装置では、前記第２の光学素子が、前記第１の光学素子で反射した光束を透過する光束と焦点検出光学系への光束とに分割するハ−フミラ−であるため、第１の光学素子からの反射光束を利用した被写体像の確認が、第２の光学素子を移動させることなく行なえる。
【００２２】
請求項７記載の焦点検出装置では、前記第１の光学素子は跳ね上げ可能とされ、前記第２の光学素子は前記第１の光学素子の跳ね上げ時の障害とならない位置に跳ね上げ可能に構成されているため、第１の光学素子を跳ね上げてなされる撮像部での被写体像の露光が、円滑に行える。
【００２３】
請求項８記載の光学機器では、請求項１〜７に記載の焦点検出装置が組み込まれているため、広視野範囲の焦点検出が高精度で行なえ、設計の自由度が高く、操作が簡単、円滑で小型の光学機器が得られる。
【発明を実施するための最良の形態】
【００２４】
位相差検出方式での焦点検出における広視野範囲の焦点検出を高精度で行なうという目的を、第１の光学素子（たとえば、メインミラ−）で反射した光束を第２の光学素子（たとえば、サブミラ−）で撮像光学系の光軸と交差する横方向に反射させることによって実現している。
【実施例１】
【００２５】
以下、図面を参照して本発明の実施例を説明する。図１、図２は焦点検出装置を光学機器としてのデジタルカメラに適用した本発明の実施例１を示し、図１（Ａ）（Ｂ）は撮影前の焦点検出時におけるデジタルカメラの正面図及び光路図（側面図）、図２は撮影時におけるデジタルカメラの正面図及び光路図（側面図）である。
【００２６】
図１にその要部を示すデジタルカメラ１０は、撮影光学系１２と、第１の光学素子、たとえばメインミラ−１４と、第２の光学素子、たとえばサブミラ−１６と、撮像部１８と、焦点板２０と、ペンタプリズム２２と、接眼レンズ２４と、焦点検出光学系２６と、ＡＦセンサ２８とを備えて構成されている。
【００２７】
撮影光学系１２は被写体像を結像する光学系である。メインミラ−（第１の光学素子）１４は可動式のクイックリタ−ンミラ−からなる光学素子であり、撮影光学系１２の光軸１３上で撮影光学系の後方（撮像部寄り）に配置されている。実施例では、メインミラ−１４は回動枠１４１に支持されている。サブミラ−（第２の光学素子）１６は、たとえばハ−フミラ−からなる光学素子であり、メインミラ−１４の上部でメインミラ−と交差する方向に向けて配置され、メインミラ−１４の上方に反射した被写体の光束の一部を透過させて焦点板２０に被写体像を形成するとともに、メインミラ−からの光束の一部を撮像光学系の光軸と交差する図１（Ａ）に示す横方向に反射している。メインミラ−１４、サブミラ−１６の交差角ａ（図５（Ａ−１）（Ｂ−１）参照）は、通常４５°とされるが、これに限定されない。なお、メインミラ−１４、サブミラ−１６は、たとえば矩形形状とされ、上方に跳ね上げ可能(回動可能)に形成されてミラ−ボックス(図示しない）に収納されている。
【００２８】
撮像部１８は、メインミラ−１４の後方で撮影光学系１２の焦点面となる位置に配置され、撮像部１８の前面にシャッタ１９が設けられている。実施例のデジタルカメラにおいては、撮像部１８はＣＣＤから構成され、銀塩カメラであれば、フィルムが撮像部となる。焦点板２０はメインミラ−１４の上方で撮像部１８と光学的に等価な位置に配置され、メインミラ−１４で上方に反射された被写体の光束の一部がサブミラ−１６を透過して焦点板２０に結像される。
【００２９】
ペンタプリズム２２は焦点板２０に結像された被写体像を正立像に反転させ、接眼レンズ２４はペンタプリズムからの被写体像を拡大し、撮影者は接眼レンズ２４を介して被写体像を観察する。
【００３０】
焦点検出光学系２６は、瞳マスク２６１と再結像レンズ２６２とを有して形成され、撮像光学系の光軸１３と交差する横方向にサブミラ−１６で反射された光束から焦点検出を行なうように、サブミラ−の側方に配置されている。焦点検出光学系２６は、公知の位相差検出光学系からなり、瞳マスク２６１は、例えば円形孔状の２つの開口部の形成された矩形の板状部材からなり、再結像レンズ２６２は、瞳マスクの２つの開口部の背後に配置された２つのレンズから形成されている。また、ＡＦセンサ２８は２つのエリアセンサを有している。
【００３１】
焦点検出光学系２６における焦点検出について簡単に述べると、サブミラ−１６で反射された被写体の光束は、瞳マスク２６１の２つの開口部を通過し、再結像レンズ２６２の２つのレンズによってＡＦセンサ２８上に再結像される。そして、ＡＦセンサ２８の出力から、２つの像の光量分布を求め、光量分布のずれ量を演算して、撮影光学系１２の合焦状態が検出される。この焦点検出光学系２６によれば、撮影画面内の焦点検出領域は、十分な大きさ持ち、広範囲な焦点検出が可能となる。また、サブミラー１６をメインミラー１４と撮像部との間に配置する必要がないため、カメラの厚さを薄くすることが可能となる。焦点検出装置３０はメインミラ−１４（第１の光学素子）、サブミラ−１６（第２の光学素子）、焦点検出光学系２６などから構成されている。
【００３２】
なお、公知の構成では、図６からわかるように、サブミラ−１１６、焦点検出光学系１２６は、撮像光学系の光軸１１３に沿った面での光路図にその位置関係が図示される。これに対して、本発明では、撮像光学系の光軸１３と交差する横方向に焦点検出の光束を反射するように、サブミラ−１６がメインミラ−１４と交差する方向に向けて配置されるとともに、焦点検出光学系２６がサブミラ−の側方に配置される。そのため、図１（Ａ）からわかるように、撮像光学系の光軸１３との直交面である正面図に、サブミラ−１６、焦点検出光学系２６の位置関係が図示される。
【００３３】
上記構成のデジタルカメラ１０の操作について述べると、被写体像を観察する場合には、図１（Ｂ）に示すように、撮影光学系１２から入射した光束はメインミラ−１４で上方に全反射され、光束の一部はサブミラ−１６を透過して焦点板２０に結像する。そして、焦点板２０の結像は、ペンタプリズム２２で反射され、接眼レンズ２４で拡大されて撮影者の眼に投影される。
【００３４】
第２の光学素子として、ハ−フミラ−のサブミラ−１６を使用すれば、メインミラ−１４で全反射された光束の一部がサブミラ−１６を透過するため、メインミラ−からの光束による被写体像の確認がサブミラ−を移動させることなく接眼レンズで行なえる。また、メインミラ−１４、サブミラ−１６の交差角ａ（図５（Ａ−１）（Ｂ−１）参照）が４５°であり、サブミラ−１６の反射面がカメラ本体に対して４５°の角度位置にあるため、反射された後の光軸もカメラ底面に対して平行となり、カメラ装置内における他の部品要素の配置が容易になる。また、サブミラ−１６の反射面が撮像光学系１２の光軸と平行であれば、反射光は光軸と直交する方向に射出するため、カメラの薄型化が実現できる。
【００３５】
次に、焦点検出光学系のＡＦセンサ２８で焦点検出する場合には、撮影光学系１２からの光束はメインミラ−１４によって上方に全反射されてサブミラ−１６に入射する。すると、サブミラ−１６がハ−フミラ−であるため、光束は、焦点板２０に向かってサブミラ−１６を透過して焦点板２０に向かう光束と、サブミラ−１６で反射されて側方に反射される光束とに分けられる。そして、側方にサブミラ−１６で反射された光束は、焦点検出光学系２６に入射して焦点検出光束となり、ＡＦセンサ２８上に結像されて焦点検出が行なわれる。
【００３６】
撮影のために撮像部１８で露光する場合には、図２に示すように、メインミラ−１４、サブミラ−１６は、いずれも、上方に跳ね上げられて被写体から撮像部への光束の光路上から退避される。そのため、撮影光学系１２から入射した光束は、メインミラ−１４、サブミラ−１６で反射されることなく直進して撮像部１８で露光される。
【００３７】
実施例では、サブミラ−１６は、メインミラ−１４と同様に跳ね上げ可能に構成されているため、メインミラ−１４の跳ね上げの邪魔にならない位置に迅速に移動され、撮像部１８での被写体像の露光が円滑に行える。
【実施例２】
【００３８】
図３、図４は焦点検出装置を光学機器としてのデジタルカメラに適用した本発明の実施例２を示し、図３（Ａ）（Ｂ）はデジタルカメラの正面図及び（Ａ）の線Ｂ−Ｂに沿った縦断面での光路図（側面図）、図４（Ａ）（Ｂ）もデジタルカメラの正面図及び（Ａ）の線Ｂ−Ｂに沿った縦断面での光路図（側面図）である。
【００３９】
実施例２では、サブミラ−１６で反射された光束（焦点検出光束）の一部がメインミラ−１４によってけられてしまう不都合が生じた場合の改善策を含んだ構成とされ、図３では、実施例２の改善策を施さないサブミラ−で反射された光束の一部がメインミラ−によりけられる場合を示し、図４では、その改善策として、サブミラ−を撮像光学系に向けて配置することによって、メインミラ−による光束のけられを回避する構成となっている。
【００４０】
つまり、実施例２はカメラの高さを低くする目的でサブミラーによって反射する光束をカメラの真横方向ではなく横方向でかつ下向きに反射させるようにしている。ここで、図３（Ｂ）は、サブミラ−１６によって反射された光束の一部がメインミラ−１４によってけられた状態を図３（Ａ）の縦断面ＢＢにおける光束断面とメインミラ−の位置関係で示し、図３（Ｂ）の網目で示す三角領域の光束１６１'がメインミラ−１４によってけられた範囲となる。このようなけられは、サブミラ−１６で反射された光束の光路が水平より下方向に導かれるためであり、その要因として焦点板２０が下がって配置されて、サブミラ−、メインミラ−１６の交差角が４５°未満となることがあげられる。
【００４１】
以下詳細に説明すると、デジタルカメラ１０を高さ方向で小型化するために、図３（Ａ）（Ｂ）に示すように、ペンタプリズム２２を通常の一点鎖線の位置から実線の位置に下げると、焦点板２０も一点鎖線の位置から実線の位置に下げられる。そして、焦点板２０が下がることにより、上下方向の間隔が不足するため、サブミラ−１６は実施例１に比して寝かせ気味に配置され、実施例１におけるメインミラ−１４、サブミラ−１６の交差角ａを４５°とすれば、図３における交差角ａ（図５（Ａ−３）（Ｂ−３）参照）は４５°より小さな値、たとえば、３５°となる。
【００４２】
メインミラ−１４との交差角を３５°としてサブミラ−１６が寝かせ気味に配置されると、サブミラ−で反射される光束は、交差角ａが４５°の光束に比較すると、下方に向けて反射される。そのため、焦点検出光学系２６は、サブミラ−１６からの光束に対応して、図３（Ａ）に示すように、水平でなく、右上がりに傾斜して配置される。なお、光学系が下方に長くなるのを避けるために、ＡＦセンサ−２８は実施例１と異なり、カメラ上方寄りに配置される。
【００４３】
メインミラ−１４からの光束が、寝かせ気味に配置されたサブミラ−１６で焦点検出光学系２６に向けて反射されると、サブミラ−からの光束１６１の一部１６１'がメインミラ−１４に進路をふさがれ、メインミラ−１４の干渉を受けるおそれがある。そして、メインミラ−１４の干渉によって、サブミラ−１６からの光束の一部１６１'にけられが生じると、けられの生じた光束に対応する視野範囲では焦点検出ができない。
【００４４】
この改善策として、図４に示すように、サブミラ−１６は撮影光学系１２に向けて傾けて配置される。図５（Ｂ−４）に示すように、撮影光学系方向へのサブミラ−１６の傾き角（傾斜角）ｂは、たとえば１０°とされる。サブミラ−１６を撮影光学系１２に向けて傾けて配置すれば、サブミラ−で反射された光束１６１は撮影光学系側に向けて反射され、メインミラ−１４から離反されるため、メインミラ−による進路妨害が回避され、メインミラ−の干渉を受けない。したがって、焦点検出光学系２６において、広視野範囲で焦点検出が行える。
【００４５】
実施例２は、前述の実施例１に対して、サブミラ−１６の空間的配置において相違しているにすぎず（実施例２では、サブミラ−１６が撮影光学系１２の光軸に対して傾けて配置されている）、他の構成に本質的な相違はない。そのため、実施例２においても、実施例１で得られる効果が当然に得られる。
【００４６】
そして、実施例２によれば、撮影光学系に向けて傾けて配置し、サブミラ−１６は寝かせ気味に位置しているため、上下方向の長さが抑制され、サブミラ−１６による機能を維持しながら、高さ方向での小型化が可能となる。つまり、サブミラ−１６の反射面は、撮像光学系の光軸を傾けた軸と直交する軸に対して４５°よりも小さい角度位置に配置され、反射された光束をカメラの真横方向よりも底面寄りに向けて出射されるため、カメラ全体の高さを低くすることが可能になる。
【００４７】
実施例１、２では、第１の光学素子としてメインミラ−を採用しているが、撮像光学系からの被写体の光束を上方に反射する反射鏡であれば足り、（メイン）ミラ−に限定されない。また、メインミラ−（第１の光学素子）、サブミラ−（第２の光学素子）をいずれも跳ね上げて所定位置に移動させており、跳ね上げ方式では、簡単な構成で迅速、容易に移動できるとはいえ、跳ね上げ方式に限定されず、平行に移動させるなどの他の移動機構でメインミラ−、サブミラ−を移動させてもよい。
【００４８】
上述した実施例は本発明を説明するためのものであり、本発明は上記の実施例に限定されるものではなく、本発明の要旨を逸脱しない範囲内において、上記以外の変形や応用が可能であることはいうまでもない。
【産業上の利用可能性】
【００４９】
本発明によれば広視野範囲での高精度の焦点検出が可能であるため、焦点検出の必要な各種の光学機器に本発明が広範囲に応用できる。
【図面の簡単な説明】
【００５０】
【図１】焦点検出装置を光学機器としてのデジタルカメラに適用した本発明の実施例１を示し、（Ａ）（Ｂ）は撮影前の焦点検出時におけるデジタルカメラの正面図及び光路図（側面図）である。
【図２】撮影時における図１のデジタルカメラの正面図及び光路図（側面図）である。
【図３】焦点検出装置を光学機器としてのデジタルカメラに適用した本発明の実施例２の説明のための構成を示し、（Ａ）はデジタルカメラの正面図、（Ｂ）は（Ａ）の線Ｂ−Ｂに沿った縦断面での光路図（側面図）である。
【図４】メインミラ−による干渉が生じた場合での対応策を含んだ本発明の実施例２を示し、（Ａ）はデジタルカメラの正面図、（Ｂ）は（Ａ）の線Ｂ−Ｂに沿った縦断面での光路図（側面図）である。
【図５】（Ａ−１）（Ｂ−１）（Ａ−３）（Ｂ−３）（Ａ−４）（Ｂ−４）は、図１（Ａ）（Ｂ）、図２（Ａ）（Ｂ）、図４（Ａ）（Ｂ）におけるメインミラ−、サブミラ−の位置関係をそれぞれ示す。
【図６】公知の位相差検出方式の焦点検出装置における光路図（側面図）である。
【符号の説明】
【００５１】
１０    デジタルカメラ
１２    撮影光学系
１４    メインミラ−（第１の光学素子）
１６    サブミラ−（第２の光学素子）
１６１  ＢＢ縦断面での焦点検出の光束
１６１'ＢＢ縦断面での焦点検出の光束のうち、けられる光束（範囲）
１８    撮像部
２０    焦点板
２２    ペンタプリズム
２４    接眼レンズ
２６    焦点検出光学系
２８    ＡＦセンサ−
３０    焦点検出装置
ａ      メインミラ−、サブミラ−の交差角
ｂ      撮影光学系へのサブミラ−の傾き角
【図１】
2006145909.tif 000003
【図２】
2006145909.tif 000004
【図３】
2006145909.tif 000005
【図４】
2006145909.tif 000006
【図５】
2006145909.tif 000007
【図６】
2006145909.tif 000008